(57)【特許請求の範囲】
【請求項１】
コンピュータと接続され、このコンピュータを移動通信システムの基地局と接続する通信カードにおいて、
前記基地局からの呼び出しを待機する第１の待受け状態と、前記基地局からの同報通信用のダウンリンクによってコンテンツを受信している第２の待受け状態と、前記基地局との間で専用に割り当てた通信用チャネルを起動して通信する接続状態とを、それぞれ異なる状態として表示する表示部を備えることを特徴とする通信カード。
【請求項２】
請求項１に記載の通信カードであって、
前記表示部は、前記通信カードが圏外にあることを更に異なる状態として表示することを特徴とする通信カード。
【発明の詳細な説明】
【技術分野】
【０００１】
本発明は、通信カード、プログラムおよびプログラムを記録したコンピュータ読み取り可能な記録媒体に係り、特に同報通信サービスやマルチキャストサービスに対応した通信カード、プログラムおよびプログラムを記録したコンピュータ読み取り可能な記録媒体に関する。
【背景技術】
【０００２】
移動通信システムは音声通信サービスに加えて、マルチメディアを含むデータ通信サービスに広く活用されている。モバイル用途のノートＰＣやＰＤＡ端末は、移動通信システムに対応した通信カードや、あるいは携帯電話といったユーザ端末を接続して、メール受信やインターネットアクセスを可能としている。これまで、無線基地局と、端末との無線リンクは、ユーザの要求するアプリケーションの実行時に、そのデータ通信用のチャネルを起動して確立するのが一般的であり、個々の端末のセッション毎に独立した無線リンクを用いていた。こうした無線インタフェースの構成は、ポイント・ツー・ポイントサービスを提供するのに適している。
【０００３】
これに対して、多数のユーザ端末に共通の内容を同時に伝送する同報通信サービス、または、コンテンツを特定のグループの端末に伝送するマルチキャストサービスに適合した無線インタフェースが提案されている。これらは、無線基地局がカバーするエリア内（セクタとも呼ばれる）の１つ以上の端末に共通の無線リンクを使用することで無線資源の使用効率を向上するもので、１つの共通ソースによるコンテンツ配信が行なわれる。コンテンツとしては、ストリーミングビデオによるニュース配信、天気予報、広告、娯楽番組等を挙げることができる。
【０００４】
特許文献１は広告コンテンツを配信するための好適な仕組みとして、基地局と端末とを接続するチャネル構成に、所定の制御処理を行なうための情報を伝送するための制御用チャネルと、任意の端末装置間で通信を行なうための通信用チャネルに加えて、多数の端末にブロードキャスト配信するための配信用チャネルによって接続する構成を提案している。この場合、端末は待受け（ＳＴＡＮＤ−ＢＹ）状態に移行する過程において広告を受信する。ユーザが端末のスイッチをＯＮ状態とすることを契機に、端末がＯＦＦ状態からＳＴＡＮＤ−ＢＹ状態へと遷移する。この状態移行の概略は以下の通りである。端末は、前記制御用チャネルで基地局から周期的に送信される報知制御情報を受信し、自端末が、その移動通信システムに対して接続可能であるか否かを判断する。端末は、接続可能であると判断した場合はシステムに対する位置登録を行い、システムからの基地局を経由した呼び出し（ページング）を可能として待機する。報知制御情報には共通の配信チャネルに関する情報が含まれており、この情報をもとに広告コンテンツを受信し、端末に備えた記憶部に格納する。記憶部に格納された広告コンテンツは、端末が別の機会に前記通信用チャネルを用いたダウンロードを実行する際、例えばインターネットアクセスを行なう際にそのダウンロードの待ち時間に再生および表示が行なわれる。
【０００５】
特許文献２は、基地局において、同報通信サービスとマルチキャストサービスに送信されるべき、複数の端末への伝送用のデータを構成する方法が記載されている。特許文献２は、一つの搬送波上でサポートされるマルチキャストを含むいくつかのサービスの組み合わせについて開示している。即ち、同報通信サービスのみが、その搬送波上でサポートされ、端末がシステムへの位置登録せずに同報通信サービスを受けることができるもの、位置登録後に同報通信とマルチキャストサービスを受けるが、他の音声等の専用サービスとの組み合わせを含むもの等について示している。さらに同報通信サービスのみを受け、その他のサービスを受けないように動作する端末においては、品質情報や受信通知（アクノリッジメント）といったフィードバック情報を基地局へ通知するために、専用の（個別に割り当てた）物理チャネルを動作させる必要ない可能性を示している。多くの端末に共通ソースのコンテンツを配信する場合、個別の端末からパケットレベルの受信について、基地局側に受信通知を必要とする伝送方法は実際的でない。このため、基地局から端末へのダウンリンク性能を高める目的で外符号によるエラー訂正を用いることを提案している。外符号は無線リンクの物理層で実行される符号化のほかにある、より高位層で実行される付加的な符号として位置づけられている。このエラー訂正により、アップリンクによるフィードバック情報を不要とする、言い換えるとダウンリンクのみで構成した配信方法についても開示している。
【０００６】
以上のように、移動通信システムにおいて、同報通信サービスやマルチキャストサービスを実現するための提案がなされている。無線資源の有効利用の観点から共通化された無線リンクを用いるが、特許文献１および特許文献２で示したように、端末では基地局へのフィードバック情報が必要となる通信用チャネルを起動せず、待受け状態のまま受信する。
【０００７】
次に、上記同報通信サービスやマルチキャストサービスにて配信されるコンテンツを、モバイル機器であるノートＰＣやＰＤＡにて視聴する利用形態を想定する。この場合、モバイル機器に装填される通信カードでコンテンツを受信する構成が可能である。ユーザへのコンテンツの表示出力、音響出力は、モバイル機器に備えられた対応デバイスに対して、通信中（オンライン）もしくはダウンロード後の任意時刻（オフライン）にて行なう利用形態が想定される。後位のモバイル機器と組み合わせて使用する通信カード端末は、後位端末からその電力供給を受けるため低消費電力化が望まれている。さらに装填した場合に、後位端末の外部へ露呈する部分をできるだけ少なくするほうが、後位端末の取り回しが容易である。このため、ユーザに対して通信カードの動作状態を表示する表示デバイスは低電力かつ小型なものが望まれている。この結果、ユーザに対して動作状態を表示する通信カードは、特許文献３に記載のようにＬＥＤを利用したものが提案されている。特許文献３には、２つのＬＥＤの発光状態を組み合わせによって、電源のオンとオフ、移動通信システムにおける圏内と圏外、通信中であるか非通信中（即ち、圏内であれば待受け状態）を表示することが記載されている。
【０００８】
【特許文献１】特開２０００−２９５１７０号公報
【特許文献２】特表２００５−５２５０３２号公報
【特許文献３】特開２００２−１６４８０７号公報
【発明の開示】
【発明が解決しようとする課題】
【０００９】
同報通信サービスやマルチキャストサービスといったポイント・ツー・マルチポイントサービスに対応した移動通信システムにおいては、通信カードと、ノートＰＣ等の後位端末を組み合わせてコンテンツ受信を行なう利用形態を想定することができる。このとき通信カードの動作状態として、従来のポイント・ツー・ポイントサービスにおける通信状態とは異なる無線リンク形式による通信状態が定義される。この新たに追加される通信状態の一つは、アップリンクとダウンリンクのペアにて構成される個々の端末専用の通信用チャネルは起動せず、その代わり多数の端末に共用されるダウンリンクによってコンテンツの受信を実行している状態である。これまで、このような追加された通信状態を考慮した通信カードの状態表示に関しては十分な検討が行なわれていなかった。
【００１０】
特に、同報通信サービスやマルチキャストサービスにおいては、リアルタイムな視聴だけでなく、コンテンツを一旦ダウンロードしてオフライン状態で再生を行なう利用形態、即ち、予約受信を行なう利用形態が想定される。予約受信は、ユーザが配信時には操作を行なわずとも、事前の設定にしたがって自動的に受信動作を開始するアプリケーションであり、通信カードと後位端末の組み合わせによっても、当該アプリケーションサービスを提供することが可能である。
【００１１】
予約受信動作の一般的な流れとしては大きく分けて、事前の予約設定、予約受信の自動実行、ダウンロード後もしくはダウンロード中のコンテンツ視聴の３段階に分けることができる。この３段階において、それぞれユーザへの利便性に関する事項として、以下の課題がある。即ち、予約の確実性の向上、予約実行中を示す状態表示、ダウンロードコンテンツの視聴権限にもとづく簡便な再生管理である。予約実行中の状態表示に関しては、自動的に受信開始が行なわれるため、ユーザが不注意にその実行を中断することを防止する必要がある。通信カードは、後位端末に装填して使用するため、ユーザが不注意に抜き取る可能性について考慮する必要がある。
【００１２】
本発明は、ノートＰＣ等の後位端末に装填される、移動通信システムの通信カードとその後位端末のアプリケーションプログラム関し、通信カードがポイント・ツー・ポイントサービスと、同報通信サービスやマルチキャストサービスのようなポイント・ツー・マルチポイントサービスの両方に対応した場合に好適な、状態表示機能を備え、特に、予約受信アプリケーションを実施するのに好適な、通信カード、プログラムおよびプログラムを記録したコンピュータ読み取り可能な記録媒体を提供する。
【課題を解決するための手段】
【００１３】
上述した課題は、コンピュータと接続され、コンピュータを移動通信システムの基地局と接続し、基地局からの呼び出しを待機する第１の待受け状態と、基地局からの同報通信用のダウンリンクによってコンテンツを受信している第２の待受け状態と、基地局との間で専用に割り当てた通信用チャネルを起動して通信する接続状態とを、それぞれ異なる状態として識別させる表示部を備える通信カードにより、達成できる。
【００１４】
また、移動通信システムの基地局との接続用の通信カードを接続されたコンピュータを、通信カードを介して、基地局から時刻を取得する通信カード制御部、およびコンピュータの内部時計を時刻に補正する内部時計補正部、として機能させるためのプログラムにより、達成できる。
【００１５】
さらに、移動通信システムの基地局との接続用の通信カードを接続されたコンピュータを、暗号化された管理情報を通信カードから受信する通信カード制御部、通信カード制御部が受信した暗号化された管理情報をデコードする管理情報デコード部、および管理情報デコード部がデコードした管理情報に含まれるキーを用いて、暗号化されたコンテンツをデコードするコンテンツでコード部、として機能させるためのプログラムにより、達成できる。
【発明の効果】
【００１６】
本発明による通信カードの動作状態表示により、予約受信中を他の待受けと区別できるため、ユーザは予約受信中の実行を確認することができる。このため不注意に通信カードを後位端末から抜き取る行為を抑制することができる。
【００１７】
また、本発明の後位端末の内部時計は、配信を行なう移動通信システムのシステム時刻に同期するため、予約受信の確実性が向上する。
【００１８】
また、本発明のアプリケーションプログラムによるコンテンツの再生は、該当コンテンツを受信した通信カードを装填しないことには許可されないため、通信カードの所有者に限定した視聴管理を行なうことが可能となる。
【発明を実施するための最良の形態】
【００１９】
以下に本発明の実施の形態について、実施例を用い図面を参照しながら説明する。ここで、図１はノートＰＣのカードスロットに装着された通信カードによる予約受信システムを説明するブロック図である。図２は通信カードの制御部を説明するブロック図である。図３は暗号化されたコンテンツの保存先を説明するブロック図である。図４は予約受信アプリケーションの機能構成を説明するブロック図である。図５はノートＰＣのハードウェアブロック図である。図６はＣＤ-ＲＯＭの平面図および側面図である。図７はコンテンツ受信時の動作を説明するシーケンス図である。図８はコンテンツ再生時の動作を説明するシーケンス図である。
【００２０】
図１において、予約受信システム１０００は、コンテンツ配信用のサーバ装置１００と、移動通信システムの無線アクセスポイントである基地局装置３００と、サーバ装置１００と基地局装置３００とを接続するネットワーク２００と、通信カード４００と、通信カード４００の後位端末となるノートＰＣ５００とで構成される。サーバ装置１００から配信されるコンテンツは、ＩＰマルチキャストにもとづく通信プロトコルにより、ネットワーク２００を経由して、基地局装置３００に到着する。この基地局装置３００を含む前記移動通信システムは同報通信サービスおよびマルチキャストサービスに対応しており、通信カード４００は、多数の端末で共用される同報通信用の無線ダウンリンクを用いて、前記コンテンツを受信する。
【００２１】
本実施例の移動通信システムは、３ＧＰＰ２（3rd Generation Partnership Project 2）の規定に適合したＣＤＭＡ方式のシステムである。この場合、無線基地局装置３００から送信される下り無線インタフェースには、同報用ダウンリンクの他に、移動通信システムを捕捉するためのパイロットチャネル、移動通信システムの時刻同期情報を伝送する同期チャネル、端末の呼び出しと報知情報とを送信するためのためのページングチャネル、さらに各端末に専用に割り当てるトラフィックチャネルが規定される。
【００２２】
通信カード４００は、ノートＰＣ５００のカードスロットに装填され、予約受信アプリケーションプログラム５０により制御されて、基地局装置３００にアクセスする。このとき基地局装置３００が要求する送信条件に合致させるため、必要なパラメータはページングチャネルより取得する。通信カード４００は、有効なパイロットチャネルを捕捉して、同期チャネルからシステム同期情報を取得すると、ページングチャネルを受信できる。通信カード４００は、ページングチャネル上で報知されるパラメータを用い、捕捉した基地局装置３００に対して位置登録を行なうことで、移動通信システムからの呼び出しが可能となり、通信カード４００はページングチャネルを継続的に監視する待受け状態に移行する。
【００２３】
通信カード４００は、送受信アンテナ４０と、無線信号を受信処理する受信部４１と、通信カードの呼制御やデータフローおよび通信カード各部の動作を制御する制御部４２と、制御部４２が出力するデータを変調し無線信号に変換して、さらに電力増幅して送受信アンテナ４０へ出力する送信部４８と、ＵＳＢ、ＰＣＭＣＩＡ等の外部インタフェース用の通信プロトコルを処理して、制御部４２とノートＰＣ５００との間でコマンドおよびトラフィックデータを仲介する後位インタフェース部４３と、ノートＰＣ５００と接続する外部コネクタ４４と、外部コネクタ４４経由でノートＰＣ５００から供給される電力を定格化し、通信カード各部に電力を供給する電源部４５と、制御部４２に通信カード固有の識別情報を出力するＵＩＭ（User Identification Module）４６と、コンテンツを保存するデータフォルダ４７と、２つの発光素子ＬＥＤ１とＬＥＤ２を制御部４２の制御に従い駆動してユーザに対して通信カードの状態を表示する表示部４９とから構成される。ここで、ＵＩＭ４６は、携帯電話会社が発行する契約者情報を記録したＩＣであり、通信カードの利用者の識別用である。
【００２４】
受信部４１は、制御部４２の制御により受信する周波数やセクタを指定され、同じく指定された機能チャネルを受信するように動作する。即ち、前述したパイロットチャネルの捕捉、同期チャネルの受信、ページングチャネルの受信動作の切替えは制御部４２によって、行なわれる。制御部４２はページングチャネル上で報知される同報通信用のサービス状況を取得し、外部コネクタ４４、後位インタフェース部４３を経由して与えられるコマンドに従い、受信部４１を制御して同報通信サービス用のダウンリンクの受信を開始することができる。
【００２５】
ノートＰＣ５００は、予約受信アプリケーションプログラム５０をメモリ上で実行することができる。ノートＰＣ５００は、さらに、予約受信アプリケーションプログラム５０がアクセスできるデータフォルダ５２と、アプリケーションプログラム５０から時刻調整可能な内部時計５１とを備える。予約受信アプリケーションプログラム５０は、予めユーザに指定された録画予約時刻が内部時計５１から通知されると、自動起動し、サーバ１００が配信するコンテンツを、同報通信サービスをサポートする移動通信システムを用いて自動受信して、データフォルダ５２に保存する。予約受信アプリケーションプログラム５０は、ユーザの操作に従い保存したコンテンツを再生する。予約受信アプリケーションプログラム５０は、通信カード４００の制御部４２に対して予約受信動作に必要なコマンドを発行し、保存したコンテンツの再生に必要な情報については、再生時に通信カード４００から取得する。
【００２６】
以上が予約受信システム１０００の概要である。この構成において、先ず通信カード４００における動作状態の表示に関わる事項について、次に予約の確実性の向上および視聴管理の事項について説明する。
【００２７】
通信カード４００の制御部４２は、基地局装置３００との無線リンクの状況を監視する。図２において、制御部４２は、コマンド解析・応答部４２０、通信制御部４２１、データ送受信部４２２、状態監視部４２３、表示制御部４２４、コンテンツ管理情報アクセス部４２５、暗号化（スクランブル）部４２６から構成される。なお、図２の中の実線矢印は通信データの流れを、破線矢印は制御データの流れを示す。
【００２８】
コマンド解析・応答部４２０は、ノートＰＣ５００からのコマンドを解析して、通信制御部４２１に対して、データ通信の発信、報知情報の取得、同報受信の開始、停止を指示する。コマンド解析・応答部４２０は、また状態監視部４２３に対して情報の更新を指示する。状態監視部４２３は、通信制御部４２１が受信あるいは起動しているチャネルの種別と、その無線リンクの電界強度、パイロット強度といった品質情報を監視し、コマンド解析・応答部４２０へ報告する。状態監視部４２３は、また表示制御４２４へ通信カードの状態値を出力する。この状態値は、表１に記載の通り、パイロットチャネルを捕捉できないでいる圏外であるか、呼び出しが可能な待受け状態であるか、同報通信用のダウンリンクを受信中であるか、通信中であるか、４種の状態を識別することができるものである。表示制御部４２４は入力された状態値にしたがい、表示部４９へ発光素子ＬＥＤ１,２を駆動する表示パタンを出力する。その表示パタンは、呼び出し可能な待受け状態（待受け状態１）と、同報通信用のダウンリンクを受信している状態（待受け状態２）とを区別するものである。具体的には、表１に示す４種類の発光パタンのいずれか一つが出力される。
【００２９】
この発光パタンは、ＬＥＤ１に電源供給状況、ＬＥＤ２に無線リンクの状況を示すように構成したものである。即ち、ＬＥＤ１は点灯もしくは点滅している場合は、通信カード４００の電源部４５による電源供給が有効であることを示し、消灯している場合は電源供給が遮断していることを示す。ＬＥＤ２は、緑色点灯が通常の待受け状態１、緑色点滅が待受け状態２である同報通信用のダウンリンクを受信している状態を示す。さらに、基地局装置３００との間で通信カード個別に（専用の）通信用チャネルを起動している接続状態にある場合にも、ＬＥＤ２を緑色点滅とするが、電源ＬＥＤ１も同時に緑色点滅させ、待受け状態２と区別できるようにする。また圏外にあるときはＬＥＤ２を赤色点灯させる。なお、電源供給が遮断しているときは、ＬＥＤ２も消灯する。
【００３０】
表１
−−−−−−−−−−−−−−−−−−−−−−−−−−−−−−−−−−−
待受け状態１  待受け状態２  接続状態    圏外状態
−−−−−−−−−−−−−−−−−−−−−−−−−−−−−−−−−−−
ＬＥＤ１（電源）   緑色 点灯     緑色 点灯    緑色 点滅   緑色 点灯
−−−−−−−−−−−−−−−−−−−−−−−−−−−−−−−−−−−
ＬＥＤ２(リンク)   緑色 点灯     緑色 点滅    緑色 点滅   赤色 点灯
−−−−−−−−−−−−−−−−−−−−−−−−−−−−−−−−−−−
この本実施の状態監視と表示制御により、ユーザは予約受信の実行中を、通常の待受け状態と区別して認識することができる。さらにユーザデータの送信が必要な接続状態とも区別して実行を認識することができる。
【００３１】
予約受信の利用形態を考慮すると、ユーザが不在時に自動的に受信、保存が行なわれるだけでなく、ユーザがノートＰＣ５００と同じ場所にいるが、端末を使用しない状態で、予約受信の開始および実行を意識しない場合がある。後者の一例は、ノートＰＣを閉じた状態での予約受信である。このとき、通常の待受け状態と区別しないと予約受信実行中に誤って通信カードを抜き取ることが考えられる。また通常の接続状態と区別しない場合、予約受信動作を、コンピュータウイルスによるユーザの期待しない送信が行なわれている状況と誤解する可能性がある。待受け状態２を他の状態を区別して専用に設けるにより、受信中の通信カードの抜き取りと、誤認識の虞を低減することができる。
【００３２】
特に、モバイルで利用するノートＰＣは、電池駆動を前提として省電力化の要求が強い。このため、自動起動した予約受信アプリケーションプログラム５０の実行状況を、ＰＣのディスプレイに表示出力しないオプションを備えても良く、この場合の低減効果が大きい。
【００３３】
図２において、データ送受信部４２２は、受信部４１および送信部４８と接続状態のトラフィックデータを送受信し、また、待受け状態２における同報受信データを受信する。また後位インタフェース部４３のデータフロー制御との調整を行なう。データ送受信部４２２は、さらに、受信した同報受信データを、コマンド解析・応答部４２０の指示にしたがって、後位インタフェース部４３またはデータフォルダ４７へ出力する。データ送受信部４２２は、また、データフォルダ４７に保存したデータをコマンド解析・応答部４２０の指示にしたがい、後位インタフェース部４３へ転送する。
【００３４】
ここで、同報通信サービスで受信した暗号化コンテンツの保管を説明する。図３において、矢印で示す暗号化コンテンツは、サーバ装置１００から送信され、ネットワーク２００と、基地局装置３００とを介して、通信カード４００が受信する。通信カード４００が受信した暗号化コンテンツは、通信カード４００のデータフォルダ４７またはノートＰＣ５００のデータフォルダ５２のどちらか一方に保存する。この構成により、ノートＰＣ５００のデータフォルダ５２の容量が不足した場合に、一時的なバッファとして通信カードを利用することが可能となる。本実施例において、サーバ１００にて暗号化されたコンテンツ（暗号化コンテンツ）は、平文化されない状態でデータフォルダ４７または５２に保存される。上述した構成から明らかなように、暗号化コンテンツの復号化機能は、予約受信アプリケーションプログラム５０に備え、復号化は再生時にのみ行なわれる。
【００３５】
このコンテンツの暗号を平文化するためには、暗号を解くために鍵情報や有効期限情報といった管理情報を必要とする。こうした管理情報はコマンド解析・応答部４２０の指示に従い、コンテンツ管理情報アクセス部４２５を経由してＵＩＭ４６から読み出される。したがってコンテンツを視聴するためには、通信カード４００をノートＰＣ５００に装填することが要求される。また、コンテンツ管理情報アクセス部４２５が読み出す管理情報は暗号化部４２６を経由して、後位インタフェース４３へ転送する構成とする。ここで、暗号化部４２６は、ＵＩＭ４６に保存された通信カードの固有情報をキーにコンテンツ管理情報を暗号化する。このコンテンツ管理情報の暗号化は、固有情報かあるいはそれに連携する情報によってデコードが可能な方法で施され、そのデコードのためのキーは予め予約受信アプリケーションプログラム５０に備える。管理情報の暗号化は、予約受信アプリケーションプログラム５０と通信カード４００との間の通信の盗聴対策である。携帯電話端末に実装されるアプリケーションと異なり、通信カードとノートＰＣ５００によって構成される予約受信システムでは、カードスロット部に物理的な中継基板を挿入して盗聴されることが考えられる。上述の構成により、ノートＰＣ５００と通信カードとの間のインタフェースの秘匿性を向上できる。
【００３６】
次に、ノートＰＣで実行する予約受信アプリケーションプログラム５０の機能構成について説明する。図４において、予約受信アプリケーションプログラム５０は、コンピュータを、予約受信／再生制御部５０１、通信カード制御部５０２、内部時計補正部５０３、ファイルアクセス部５０４、コンテンツデコード部５０５、出力制御部５０６、ユーザ操作部５０７、管理情報デコード部５０８、固有情報保持部５０９として、機能させる。
【００３７】
予約受信／再生制御部５０１は、ユーザ操作部５０７を経由して入力された予約設定にしたがって、自動的にコンテンツ受信のための指示を、通信カード制御部５０２に出力する。予約受信／再生制御部５０１は、また、ユーザの操作によってコンテンツの再生を行なうため、通信カード制御部５０２に指示して、コンテンツ管理情報を要求する。予約受信／再生制御部５０１は、さらに、ファイルアクセス部５０４を制御してデータフォルダ５２または通信カード制御部５０２を経由して、データフォルダ４７から、保存コンテンツの読出しを行なう。予約受信／再生制御部５０１は、コンテンツ管理情報のデコードとコンテンツ自体のデコードを制御する。
【００３８】
通信カード制御部５０２は、予約受信／再生制御部５０１の指示にしたがって、通信カード４００へのコマンドを発行し、その応答を受信して、予約受信／再生部５０１へ転送する。通信カード制御部５０２は、また同報受信データをファイルアクセス部５０４へ、コンテンツ管理情報を管理情報デコード部５０８へ、さらに同期チャネルに含まれるシステム時刻情報を内部時計補正部５０３に出力する。システム時刻情報は、基地局装置３００から送信される報知情報であり、３ＧＰＰ２にて規定されるＣＤＭＡ方式の携帯電話では、極めて正確な時刻であるＧＰＳ時刻に同期したものとなる。このＧＰＳ時刻をもとに予約受信アプリケーションプログラム５０は内部時計補正部５０３によって、ノートＰＣ５００の内部時計５１の時刻を補正する。予約／再生制御部５０１は内部時計５１の時刻にもとづき、予約受信を開始する。この構成により、予約の実行時刻が正確となり、予約の確実性が向上する。
【００３９】
コンテンツ管理情報は、管理情報デコード部５０８で固有情報保持部５０９より出力するキー情報により平文化されコンテンツデコード部５０５に入力される。コンテンツデコード部５０５はファイルアクセス部５０４より出力されるコンテンツの、平文化および動画符号化データと音声データの再生を行い出力制御部５０６に出力する。出力制御部５０６は、動画符号化データをノートＰＣ５００の動画復号化部（図示せず）に送り、動画を液晶パネルに表示させる。また、出力制御部５０６は、音声データをノートＰＣ５００のスピーカ（図示せず）に送り、音声再生させる。
【００４０】
図５を参照して、ノートＰＣのハードウェア構成を説明する。図５において、ノートＰＣ５００は、演算装置（ＣＰＵ）５１０と、主記憶装置（メモリ）５２０と、キーボード、ポインティングデバイス等の入力装置と液晶パネル、スピーカ等の出力装置とを含む入出力装置５３０と、ハードディスク装置、フラッシュメモリ等の補助記憶装置５４０と、ＣＤ-ＲＯＭドライブ、カードスロット等の周辺機器を接続する外部インタフェース５５０とを、バス５６０で接続した構成である。ＣＤ-ＲＯＭに記録された予約受信アプリケーションプログラム５０は、入出力装置５３０から読み込まれ、補助記憶装置５４０にコピーされる。補助記憶装置５４０にコピーされた予約受信アプリケーションプログラム５０は、主記憶装置５２０上で、演算装置５１０により、実行される。
【００４１】
図６において、図６（ａ）は予約受信アプリケーションプログラム５０を記録したＣＤ-ＲＯＭの平面図である。また、図６（ｂ）は予約受信アプリケーションプログラム５０を記録したＣＤ-ＲＯＭの側面図である。予約受信アプリケーションプログラム５０は、図６（ｂ）の下面（記録面）に記録され、ＣＤ-ＲＯＭドライブのスピンドルに取り付けられて、読み込まれる。なお、コンピュータ読み取り可能な予約受信アプリケーションプログラムの記録媒体は、ＣＤ-ＲＯＭに限らずＣＤ-ＲでもＤＶＤでもＦＤであっても良い。。
【００４２】
通信カードと、ノートＰＣと、基地局装置との間の状態遷移を図７を参照して、さらに説明する。図７において、ノートＰＣ５００において、予約受信アプリケーションプログラムは、予約コンテンツの配信時刻の数分前に自動的に起動する（Ｔ７０１）。予約受信アプリケーションプログラムは、次に予約段階で設定されたコンテンツが、現在、通信カード４００がローミングしている基地局装置３００より、配信されるかどうか、コンテンツ属性を含む配信確認のコマンドを通信カード４００宛てに送信する（Ｔ７０２）。通信カード４００は確認要求のコマンドを受信すると、基地局装置３００が送信している配信制御情報を受信し（Ｔ７０３）、コンテンツ属性の一致検査を行う（Ｔ７０４）。ここでは、照合結果に問題がないとしよう。通信カード４００は、照合結果通知（ＯＫ）をノートＰＣ５００へ送信する（Ｔ７０５）。
【００４３】
予約受信アプリケーションプログラム５０は、照合結果の合格通知を受信すると、予約受信の実行を許可し、内部時計５１からの計時データから予約時刻を検出すると、通信カード４００に対して予約受信開始を要求コマンド送信する（Ｔ７０６）。通信カード４００は、基地局装置３００からの同報通信チャネルを受信し（Ｔ７０７）、これにしたがい同報通信用のチャネルに同期する（Ｔ７０８）。ここでは、同期に成功したとしよう。通信カード４００は、受信開始応答をノートＰＣ５００に返信する（Ｔ７０９）。
【００４４】
基地局装置３００は、定刻にコンテンツ送信を開始する（Ｔ７１１）。この後通信カード４００は同報受信用チャネルから受信したデータを、暗号化したままノートＰＣ５００への転送を開始するとともに、表示部４９の状態表示を待受け状態２とする（Ｔ７１２）。また並行して予約受信アプリケーションプログラム５０は転送されたデータをデータフォルダ５２に保存する（Ｔ７１３）。予約受信アプリケーションプログラム５０がコンテンツの終了を検出すると（Ｔ７２１）、受信のステータス（終了、失敗等）を保存する（Ｔ７２２）。ここでは受信のステータスが終了であるとする。このとき、予約受信アプリケーションプログラム５０は、通信カード４００に対して受信終了要求コマンドを送信する（Ｔ７２３）。受信終了要求コマンドを受信した通信カード４００は、同報通信チャネルの受信を停止し（Ｔ７２４）、受信終了応答を返信する（Ｔ７２５）。通信カード４００は、次に状態表示を待受け状態１に復帰させる（Ｔ７２６）。
【００４５】
一方、受信予約アプリケーションプログラム５０は、受信のステータス含むデータフォルダのコンテンツリストおよび操作メニューの表示を更新する（Ｔ７３１）。受信予約アプリケーションプログラム５０は、ユーザの操作がなく所定の時間を経過したとき、次の自動起動を待機する状態に移行する（Ｔ７３２）。
【００４６】
最後に、コンテンツ再生時の動作シーケンスについて図８を参照して説明する。図８において、ノートＰＣ５００の電源がＯＮされた状態で、通信カード４００をカードスロットに装填すると、外部コネクタ４４を経由して電源部４５に電源が供給され、通信カード４００が起動する。通信カード４００は、基地局装置３００が定期的に送信する（Ｔ８０１）、パイロットチャネルを捕捉し、同期チャネルによりをシステム同期および報知情報を取得する（Ｔ８０２）。通信カード４００は、基地局装置３００に、位置登録を行なう（Ｔ８０３）。位置登録を受信した基地局装置３００は、位置登録応答を通信カード４００に返信する（Ｔ８０４。位置登録応答を受信した通信カード４００は、通信カードの状態として待受け状態１を表示する（Ｔ８０５）
この段階でユーザが手動により予約受信アプリケーションを起動（Ｔ８１１）したとしよう。起動された予約受信アプリケーションプログラム５０は、先ず、通信カード４００に対して時刻情報問合せを送信する（Ｔ８１２）。通信カード４００は、無線リンクの品質情報を状態監視部４２３に確認し、また通信制御部４２１経由でシステム時刻情報を検出して、有効な時刻情報を含む時刻情報応答を返信する（Ｔ８１３）。予約受信アプリケーションプログラム５０は、この情報を受けて内部時計時刻の補正を行なう（Ｔ８１４）。予約受信アプリケーションプログラム５０は、さらに現在のデータフォルダのコンテンツリストおよび操作メニューを表示する（Ｔ８１５）。
【００４７】
ここで、ユーザがメニューガイドにしたがいコンテンツを選択して再生を要求したとしよう。これを予約受信アプリケーションプログラム５０が受付けると（Ｔ８２１）、通信カード４００に対して該当コンテンツの管理情報の問合せを送信する（Ｔ８２２）。通信カード４００の制御部４２は、ＵＩＭ４６から管理情報を読出し、暗号化部４２６によって暗号化して、ノートＰＣ５０に管理情報応答を返信する（Ｔ８２３）。アプリケーションプログラム５０は、受信した管理情報を固有情報保持部５０９から出力するキーをもとに平文にデコードし（Ｔ８２４）、管理情報に含まれる視聴期限を検査してコンテンツ再生の許可、不許可を判定し（Ｔ８２５）、期限内であれば、管理情報に含まれるキーを用いてコンテンツの暗号を平文化し、圧縮された符号化データをデコードする（Ｔ８２６）。
【００４８】
本実施例の、通信カードの動作状態表示により、予約受信中を他の待受けと区別できるため、ユーザは予約受信中の実行を確認することができる。このため不注意に通信カードをノートＰＣから抜き取る行為を抑制することができる。
【００４９】
また、本実施例のノートＰＣの時計は、配信を行なう移動通信システムのシステム時刻に同期するため、予約受信の確実性が向上する。
【００５０】
また、本実施例のアプリケーションプログラムおよびプログラムを記録した記録媒体によるコンテンツの再生は、該当コンテンツを受信した通信カードを装填しないことには許可されないため、通信カードの所有者に限定した視聴管理を行なうことが可能となる。
【図面の簡単な説明】
【００５１】
【図１】ノートＰＣのカードスロットに装着された通信カードによる予約受信システムを説明するブロック図である。
【図２】通信カードの制御部を説明するブロック図である。
【図３】暗号化されたコンテンツの保存先を説明するブロック図である。
【図４】予約受信アプリケーションの機能構成を説明するブロック図である。
【図５】ノートＰＣのハードウェアブロック図である。
【図６】ＣＤ-ＲＯＭの平面図および側面図である。
【図７】コンテンツ受信時の動作を説明するシーケンス図である。
【図８】コンテンツ再生時の動作を説明するシーケンス図である。
【符号の説明】
【００５２】
４０…送受信アンテナ、４１…受信部、４２…制御部、４３…後位インタフェース部、４４…外部コネクタ、４５…電源部、４６…ＵＩＭ、４７…データフォルダ、４８…送信部、４９…表示部、５０…予約受信アプリケーション、５１…内部時計、５２…データフォルダ、１００…サーバ装置、２００…ネットワーク、３００…基地局装置、４００…通信カード、４２０…コマンド解析・応答部、４２１…通信制御部、４２２…データ送受信部、４２３…状態監視部、４２４…表示制御部、４２５…コンテンツ管理情報アクセス部、４２６…暗号化（スクランブル）部、５００…ノートＰＣ、５０１…予約受信／再生制御部、５０２…通信カード制御部、５０３…内部時計補正部、５０４…ファイルアクセス部、５０５…コンテンツデコード部、５０６…表示制御部、５０７…ユーザ操作部、５０８…管理情報デコード部、５０９…固有情報保持部、５１０…演算装置、５２０…主記憶装置、５３０…入出力装置、５４０…補助記憶装置、５５０…外部インタフェース、５６０…バス、１０００…予約受信システム。
【図１】
0004745131.tif 000002
【図２】
0004745131.tif 000003
【図３】
0004745131.tif 000004
【図４】
0004745131.tif 000005
【図５】
0004745131.tif 000006
【図６】
0004745131.tif 000007
【図７】
0004745131.tif 000008
【図８】
0004745131.tif 000009